(57)【特許請求の範囲】
【請求項１】
グリル庫内に被調理物を載置して、点火操作手段を操作して着火したバーナの燃焼熱により該被調理物を加熱調理し、器体上面に設けられた覗き窓からグリル庫内の様子を確認可能なガスグリル付きテーブルこんろにおいて、
上記覗き窓と上記グリル庫内の調理スペースとの間に開閉可能に設けられ、閉状態である時は上記被調理物から飛散してくる油の該覗き窓への付着を防止する汚れ防止手段と、
上記汚れ防止手段を開閉操作する開閉操作手段と、
上記点火操作手段の点火操作に連動して上記汚れ防止手段を開成する連動手段と
を備えたことを特徴とするガスグリル付きテーブルこんろ。
【発明の詳細な説明】
【０００１】
【発明の属する技術分野】
本発明は、魚等の被調理物をグリル庫内で加熱調理するガスグリル付きテーブルこんろに関する。
【０００２】
【従来の技術】
従来からガスグリル付きテーブルこんろにおいては、グリル正面に覗き窓を設けたものが一般的であるが、庫内の視認性を良くするために、グリル庫の上面にも覗き窓を設けたものが提案されている。例えば、特開平１２−３００４４２で提案されたグリルは、図１３に示すように、グリル庫１１２から被調理物Ｆを出し入れするための開閉扉６１にガラス製の回動窓６１ａを、グリル庫１１２の天井部となるグリル天板１３０に透過性の覗き窓１４０をそれぞれ備えている。
このグリル１０１は、覗き窓１４０を通してグリル庫１１２内に採光が得られるので、覗き窓１４０を覗くことにより、腰をかがめることなく立った姿勢のままグリル庫１１２内の様子を確認できる。
さらに、覗き窓１４０の下にシャッター１４１を設け、グリル庫１１２内の様子を確認したいときには開閉つまみ１４８を操作してシャッター１４１を開け、それ以外の時には、シャッター１４１を閉めて被調理物Ｆから覗き窓１４０を隔離することにより、被調理物Ｆからの焼き脂Ｇや油煙によって覗き窓１４０が汚れることを防止できる。
【０００３】
【発明が解決しようとする課題】
しかしながら、グリル点火時に、バーナ２０の着火状態を確認するためには、点火操作とは別に、シャッター１４１の開操作も同時に行わなければならないために、使い勝手が悪かった。
また、正面の回動窓６１ａを通して着火状態を確認しようとすると、回動窓６１ａが使用者の腰のあたりに位置するため、体をかがめて窮屈な姿勢をとらなければならないうえに、回動窓６１ａが被調理物Ｆからの焼き脂Ｇや油煙によって汚れやすいこともあって見にくいものであった。
本発明のガスグリル付きテーブルこんろは上記課題を解決し、使い勝手良く、楽な姿勢で、バーナ点火時の着火状態を良好に確認できることを目的とする。
【０００４】
【課題を解決するための手段】
上記課題を解決する本発明の請求項１記載のガスグリル付きテーブルこんろは、
グリル庫内に被調理物を載置して、点火操作手段を操作して着火したバーナの燃焼熱により該被調理物を加熱調理し、器体上面に設けられた覗き窓からグリル庫内の様子を確認可能なガスグリル付きテーブルこんろにおいて、
上記覗き窓と上記グリル庫内の調理スペースとの間に開閉可能に設けられ、閉状態である時は上記被調理物から飛散してくる油の該覗き窓への付着を防止する汚れ防止手段と、
上記汚れ防止手段を開閉操作する開閉操作手段と、
上記点火操作手段の点火操作に連動して上記汚れ防止手段を開成する連動手段と
を備えたことを要旨とする。
【０００５】
上記構成を有する本発明の請求項１記載のガスグリル付きテーブルこんろは、点火操作手段でバーナに点火すると、それにあわせて連動手段が汚れ防止手段を開成し、グリル庫内が視認可能となる。また、点火後の調理中において開閉操作手段を開操作すれば、汚れ防止手段が開いてグリル庫内を立った姿勢のまま楽に確認できる。確認後は、汚れ防止手段が閉じて被調理物の焼き脂や油煙によって覗き窓が汚れることを防止する。
【０００６】
【発明の実施の形態】
以上説明した本発明の構成・作用を一層明らかにするために、以下本発明のガスグリル付きテーブルこんろの好適な一実施形態について図１〜図１１を用いて説明する。
【０００７】
テーブルこんろは、図１１に示されるように、トッププレート１０に左右２組のこんろバーナ７４ａ、７４ｂが設けられ、それらの周囲に設けられた五徳７５ａ、７５ｂ上に図示しない調理鍋を載せ、テーブルこんろの前面に設けられる操作ボタン７１ａ、７１ｂを押すことにより、それぞれのこんろバーナ７４ａ、７４ｂが点火され、調理鍋が加熱されるものである。
こんろバーナ７４ａ、７４ｂ間の器体の中心部には、魚等の被調理物を焼くためのグリル１が設けられ、操作ボタン７１ｃを押して点火し加熱調理が行われる。
【０００８】
このグリル１は、図２〜４に示すように片面焼きタイプのグリルで、被調理物Ｆを加熱調理するグリル庫１２を備える。
グリル庫１２には、上段左右側面に設けられ燃料ガスを燃焼させて被調理物Ｆを加熱するバーナ２０と、中段に設けられ被調理物Ｆを載せる焼網２２と、底部に設けられ焼網２２を載せたまま手前にスライドさせて引き出すことができる受皿２４とを備える。
【０００９】
グリル庫１２の正面中央には、受皿２４と一体的に固定され受皿２４を手前に引き出す取手６２と、受皿２４を引き出す時に連動して開閉する開閉扉６１とが設けられ、その開閉扉６１にはガラス製の回動窓６１ａが設けられる。
取手６２を手前に引き出すと、取手６２に固定された受皿２４がグリル庫１２の底面をスライドし、受皿２４に載置された焼網２２が同時に引き出される。
【００１０】
グリル庫１２の左右側面に設けたバーナ２０は、多孔質セラミックスの平面プレートに多数の小炎口を貫通させた燃焼面を有し、燃焼に必要な空気の殆どを一次空気として吸入する全一次空気式のバーナである。
尚、バーナ２０に臨んで図示しない点火電極が設けられる。
【００１１】
グリル庫１２の背部には、仕切壁５２を介して排気室５０を併設し、この仕切壁５２に開口してグリル庫１２と排気室５０とを連通する連通口５４を焼網２２よりも下方に設けている。従って、バーナ２０から発生した燃焼排気をいったん庫内に充満させた後、排気室５０を介して排気口５１より排出されるよう排気路を構成している。
【００１２】
また、図５に示すように、操作ボタン７１ｃの後ろの器体内には、操作ボタン７１ｃの操作によりバーナ２０へのガス流路を開閉するとともに図示しない火力調節ツマミの左右への操作に連動してガス量を調節する点滅器９０が設けられる。この点滅器９０は、ガス流路を開閉する開閉弁として、メイン弁９２とマグネット弁９３とを備える。また、点滅器９０には、操作ボタン７１ｃの押し操作に連動して動作する点火レバー９１が操作ボタン７１ｃに当接して設けられる。メイン弁９２は、この点火レバー９１を介して進退するスピンドル９４の移動位置に応じて開閉する。一方、マグネット弁９３は、スピンドル９４の先端により弁体が押し開かれて開弁し、バーナ２０近傍に設けられる図示しない熱電対の熱起電力によりコイル９６に通電されている間、吸着され開弁状態を保持する。また、このスピンドル９４はバネ９５により閉弁方向（図面左方向）に付勢されている。
消火位置（ａ）から操作ボタン７１ｃを押して、点火レバー９１を点火位置（ｂ）まで押し切ると、スピンドル９４も後方まで押し切られ、メイン弁９２を開弁し、マグネット弁９３を押し込みコイル９６の鉄心に吸着させて、ガス流路を開く。点火後、操作スイッチ７１ｃから手を離すと、図示しない周知のハートカム機構によりスピンドル９５は所定位置まで戻る。この時、メイン弁９２は開弁状態に保持され、マグネット弁９３はコイル９６に吸着された状態で閉弁可能状態に置かれる。また、点火レバー９１もスピンドルの動きによって押し戻されて燃焼位置（ｃ）となる。再度、点火レバー９１を押し、手を離すとハートカムの係合がとれてスピンドル９４が元の消火位置（ａ）に戻り、メイン弁９２が閉じてガス流路が閉じられる。バーナ２０が消火するとコイル９６への通電が停止し、マグネット弁９４は吸着されなくなり、閉弁する。この際、点火レバー９１は消火位置（ａ）まで押し戻される。
【００１３】
トッププレート１０には、五徳７５ａ，７６ｂの手前中央に、図１０に示されるように、グリル庫１２内の被調理物Ｆを確認するための長方形の下窓孔１０ａが横長に開口される。グリル庫１２の天井部となるグリル天板３０は、トッププレート１０より低い位置に形成される。このグリル天板３０には、筒状で上部ほど狭く形成された突出枠３０ａが下窓孔１０ａから突き出て設けられ、その上端全周を内側へ折り曲げて窓取付部３０ｂを形成する。この窓取付部３０ｂは、奥側ほど若干高く傾斜して形成され、その内周は、長方形の上窓孔３０ｆとして形成される。
突出枠３０ａは、前部３０ｃと後部３０ｄと左右の鉛直面となる側部３０ｅとからなる。この側部３０ｅの左右外側には、コの字形状のスペーサ３９を介して、先端を内側に折り曲げた引掛片３７ａを形成する板バネ３７が立設される。
【００１４】
また、上窓孔３０ｆの上には、図６，図７に示されるように、覗き窓組立３８が設けられる。この覗き窓組立３８は、上窓孔３０ｆより大きい長方形状の耐熱ガラスで形成された覗き窓４０と、覗き窓４０の前後に設けられ覗き窓４０の前後の移動を制限する前後押さえ３４と、覗き窓４０の左右に設けられ覗き窓４０を下から支える窓受け３６と、覗き窓４０の外周を上から覆う外枠３５と、覗き窓４０と外枠３５との隙間を埋めるパッキン３２と、外枠３５の外周に嵌着されるパッキン枠６４とにより構成される。
【００１５】
覗き窓組立３８の窓受け３６は、図６〜図９に示されるように、覗き窓４０の左右側面に当接する垂直面３６ａと、覗き窓４０の下面を支えるために垂直面３６ａの前後下部を水平に内側に曲げた支え面３６ｂ，３６ｃと、垂直面３６ａと同一面で支え面３６ｂと支え面３６ｃとの間から下方に伸びて形成され板バネ３７の引掛片３７ａを掛止するバネ孔３６ｅが開口されたバネ受け部３６ｄと、カシメ用の水平鍔部３６ｆとを備える。尚、図９は、外枠３５とパッキン枠６４とを組み付ける前の覗き窓組立３８を示す。
【００１６】
一方、覗き窓組立３８の前後押さえ３４は、覗き窓４０の前面と後面とに当接する垂直面３４ａと、垂直面３４ａの上端から外側（覗き窓４０から見て）へ下向きに傾斜する傾斜面３４ｂと、カシメ用の水平鍔部３４ｃとからなる。
覗き窓組立３８は、窓受け３６の支え面３６ｂ，３６ｃの上に覗き窓４０を載置し、前後押さえ３４を覗き窓４０の前後に並べ、覗き窓４０上にパッキン３２を載せて、外枠３５によって覗き窓４０を上から覆い、窓受け３６の水平鍔部３６ｆと前後押さえ３４の水平鍔部３４ｃとを外枠３５の外周でかしめて、その外枠３５の外周を、上下段に水平内周切り込みの入ったパッキン枠６４の上段切り込みにはめて一体となる。
【００１７】
こうして形成される覗き窓組立３８は、図７，図１０に示されるように、グリル天板３０の窓取付部３０ｂに長方形リング形状の断熱材３３を載置した上から押さえられ、窓受け３６のバネ孔３６ｅにグリル天板３０の板バネ３７の引掛片３７ａがはまって突出枠３０ａに固定される。
この時、断熱材３３が押し潰されて窓取付部３０ｂと覗き窓４０とに密着するため、調理鍋から煮汁がふきこぼれても上窓孔３０ｆを通ってグリル庫１２に入ることはない。また、断熱材３３は、グリル庫１２の熱によるトッププレート１０への加熱を抑えると共に、グリル庫１２から燃焼排気がトッププレート１０へ流出することを防止する。
また、覗き窓組立３８の頂部が、図１１に示されるように、五徳７５ａ，７６ｂの頂部よりも低い位置に設けられ、このため、大きい調理鍋を五徳７５ａ，７６ｂに載置しても鍋底が覗き窓組立３８に当たることはなく、調理鍋を傾かせることがない。
しかも、パッキン枠６４がトッププレート１０上面に接する際、パッキン枠６４の下段切り込みがクッションとなるため、トッププレート１０上面が外枠３５により傷つくことを防止する。
【００１８】
一方、覗き窓組立３８を取り外す時は、外枠３５を上方に引っ張って板バネ３７の引掛片３７ａをバネ孔３６ｅから外す。このように取り外すことにより、調理鍋から直接煮汁がかかって覗き窓４０が汚れても、水洗いすることができる。
【００１９】
覗き窓４０の下方には、図２〜４に示されるように、覗き窓４０を覆うような位置に回動扉８１が設けられる。尚、図２は、回動扉８１の閉状態を示し、図３及び図４は、開状態を示している。
この回動扉８１の両側には扉支持片８１ａが設けられ、突出枠３０ａの側部３０ｅの手前上方に貫通されるリンク棒８２を扉支持片８１ａに挿通して回動扉８１が軸支される。このリンク棒８２は、左右の扉支持片８１ａ間を曲折して設けられ、その途中で回動扉８１の掛止片８１ｂと連結され、回転扉８１と共に回動可能となる。
回動扉８１を開閉操作するために、リンク棒８２の右端となるアーム連結部８２ａがＴ型アーム８３の横棒の上部先端に横長に開口されたリンク棒連結部８３ａと連結される。
このＴ型アーム８３は、支え板８４の支点８４ａを中心に上下に回動可能に設けられ、図１１に示されるように、その縦棒の先端が器体前面に形成された縦長のレバー開口７２から突き出てつまみ８６が嵌着される。
また、グリル庫１２上部には、図２及び図３に示されるように、Ｔ型アーム８３の横棒の上部先端を図面左方向へ付勢する引っ張りバネ８５が設けられる。
【００２０】
従って、Ｔ型アーム８３が引っ張りバネ８５により図２及び図３の反時計方向に付勢され、回動扉８１は覗き窓組立３８に当接する閉位置に至って静止する。
一方、つまみ８６を開位置（下）へ回動させると、図３に示すように、Ｔ型アーム８３，リンク棒８２を介して回動扉８１が図面反時計方向へ回動して突出枠３０ａの下方手前側へ隠れて、グリル庫１２内に光が差込み、グリル庫１２内の様子をグリル庫１２の奥の方まで良好に確認できるようになる。
【００２１】
また、図１に示すように、Ｔ型アーム８３の横棒の下部先端には、押し片８７が、点滅器９０に備えられた点火レバー９１の頭部９１ａに向かい合い、燃焼位置（ｃ）においてこの頭部９１ａに当接するように設けられる。押し片８７がこの位置にある場合には、つまみ８６は、閉位置（上）にあり、回動扉８１は閉じている。また、点火操作時に、点火レバー９１が押し切られ、点火位置（ｂ）になると、押し片８７も頭部９１ａにより後方に押しきられる。この場合には、Ｔ字アーム８３が支点８４ａを支点として図面反時計方向に回動し、つまみ８６は、開位置（下）となり、回動扉８１が開く。尚、図中において点滅器９０は、本願とは直接関係しないため、その上部を省略してある。
また、押し片８７の上下面には、それぞれ水平方向に伸びるガイド棒８８ａ，８８ｂが備えられており、支え板８４には、支点８４ａを中心とする円弧状に内外２段でガイド孔８９ａ，８９ｂが設けられる。ガイド棒８８ａ，８８ｂは、それぞれガイド孔８９ａ，８９ｂに挿通される。このため、８７の動作方向はＴ字アーム８３の回動方向にのみ規制される。
【００２２】
上述したグリル付テーブルこんろによれば、操作ボタン７１ｃを押すと、点火レバー９１が押し切られ、バーナ２０へのガス流路を開閉する点滅器９０に備えられたメイン弁９２とマグネット弁９３が開弁され、バーナ２０から燃料ガスが噴出されると共に、点火電極の連続放電により点火する。この時、点火レバー９１の押し切り動作に連動して押し片８７をガイド孔８９ａ，８９ｂに沿って後方に押し、回動扉８１を開くため、覗き窓４０からバーナ２０の着火状態を確認することができる。すなわち、点火操作ボタン７１ｃを押すだけで、バーナ２０への点火と回動扉８１の開操作の両方を行うことができるため、バーナ２０の着火状態を使い勝手よく確認できる。しかも、押し片８７はガイド孔８９ａ，８９ｂにガイドされ、Ｔ字アーム８３の回動方向のみに動くので、Ｔ字アーム８３をスムーズに動かすことができ、回動扉８１もスムーズに開けることができる。
また、覗き窓４０からグリル庫１２内を見る場合、普通に立ったまま見ることができるので、わざわざ腰をかがめて窮屈な姿勢をとる必要がなく、身体に対する負担が小さくてすむ。
操作ボタン７１ｃから手をはなして、点火操作を終了すると、点火レバー９１は、燃焼位置（ｃ）まで戻る。この時、押し片８７も引っ張りバネ８５の付勢力によって、元の位置、つまり点火レバー９１に当接する位置まで戻り、回動扉８１が閉まって覗き窓４０が被調理物Ｆからの焼き脂Ｇや油煙によって汚れてしまうことを防ぐ。
【００２３】
調理中にバーナ２０で発生した高温の燃焼排気は、いったんグリル庫１２の上部に溜まり連通口５４から溢れて、排気室５０を介して排出される。従って、被調理物Ｆは、輻射熱と滞留した排気熱とにより加熱され、被調理物Ｆが効率良く調理される。
【００２４】
調理中は通常、つまみ８６は閉位置にあり、回動扉８１が閉まっているため、調理中に被調理物Ｆからの焼き脂Ｇや油煙が覗き窓４０に付着することはない。
調理の様子を確認したい時は、つまみ８６を開位置へ操作することにより、点滅器９０を動作させることなく、回動扉８１を開けグリル庫１２内を覗くことができる。確認後、つまみ８６から手を離すと引っ張りバネ８５の付勢力により自動的に閉位置に戻り、回動扉８１が閉まって再び覗き窓４０が油によって汚れることを防止する。
従って、回動扉８１が引っ張りバネ８５の付勢力により閉じるため、閉め忘れにより覗き窓４０が汚れてしまうといった不具合を防止できる。
【００２５】
また、回動扉８１は、回動により開閉するため摩擦抵抗が少なく、しかも、接触面積が小さいので被調理物Ｆから出た油により回転扉８１が固着することもなく、開閉操作し易い。
更に、グリル天板３０の突出枠３０ａ内側の高い位置を軸にして回動扉８１が回動するため、回動扉８１が開いても、グリル庫１２内の調理スペースに侵入することがなく、回動扉８１が大きな被調理物に当たることはない。
【００２６】
また、覗き窓４０がトッププレート１０上面より高い位置に設けられているため、トッププレート１０上の五徳７５に載置される調理鍋から煮汁がふきこぼれても、覗き窓４０上に溜まりにくい。
しかも、覗き窓４０が奥側ほど高く傾斜して設けられるため、煮汁が覗き窓４０に直接こぼれても、前方に流下し溜まりにくく、また、グリル庫１２内の奥を見るための視野を十分確保でき、奥行の長い覗き窓４０を必要とせず製造コストを抑えることができる。
【００２７】
このように、覗き窓４０の奥行寸法に対する水平距離が短いため、狭い五徳７５ａ，ｂ間に、覗き窓４０を設ける必要が無く、幅の大きな覗き窓４０を設けて、グリル庫１２内の左右両端まで隅々見ることができる。しかも、五徳７５ａ，ｂ間に覗き窓４０を設けないため、グリル調理の熱が覗き窓４０越しに調理鍋の取手に伝わって過熱することがなく、安全である。
【００２８】
覗き窓４０の汚れが気になる場合には、覗き窓組立３８の外枠３５の外周をつかんで覗き窓組立３８を器体から簡単に取り外して、汚れた覗き窓組立３８を水洗いすることができ、再び良好に被調理物Ｆの焼け具合を確認できる。
また、覗き窓組立３８の外周にはパッキン枠６４が嵌着されているため、トッププレート１０の上面を傷つけることがない。
【００２９】
加えて、覗き窓４０がグリル天板３０よりも高い位置の窓取付部３０ｂにあって被調理物Ｆから遠ざかるため、加熱調理中に被調理物Ｆから飛び散った焼き脂Ｇや油煙が覗き窓４０に付着しにくく、しかも、覗き窓４０がグリル庫１２内の雰囲気により加熱されにくい。また、回動扉８１により覗き窓４０が過熱されることを防止する。加えて、覗き窓４０が器体外部の空気により冷却される。
この結果、煮汁，焼き脂Ｇや油煙が覗き窓４０に焦げ付きにくくなり、視界を確保できて被調理物Ｆの焼け具合を良好に確認できる。
【００３０】
また、覗き窓４０がグリル天板３０に設けられトッププレート１０とは分離しているため、トッププレート１０ががたついたり熱変形を起こしたりしてもグリル天板３０に対する覗き窓組立３８の位置がずれることはなく、覗き窓組立３８とグリル天板３０上の断熱材３３とのシール性が良好に維持でき、グリル庫１２内の熱気がトッププレート１０へ漏れない。しかも、加熱された覗き窓４０の熱がトッププレート１０に伝わりにくく、トッププレート１０の温度を大きく上昇させない。
従って、トッププレート１０に手が触れても火傷の心配がなく安全である。
加えて、覗き窓４０をトッププレート１０と分離して設けるため、製造上高い精度を必要としない。
【００３１】
以上本発明の実施形態について説明したが、本発明はこうした実施形態に何等限定されるものではなく、本発明の要旨を逸脱しない範囲において、種々なる態様で実施し得ることは勿論である。
例えば、本実施形態では、片面焼きグリルにおいて説明したが、焼網の上下にバーナを備えた両面焼きグリルに適用しても差し支えない。
また、バーナをグリル庫天井面などの上部に設けても良い。
しかも、覗き窓４０を突出枠から着脱しない構成にしてもよい。
【００３２】
また、グリル庫の様子を確認するための窓としては、器具正面の回動窓６１ａを設けず、器具上面の覗き窓４０だけであっても構わない。
しかも、図１２に示すように、器具正面の上部には、開閉扉を設けずにグリル庫１２の前面上部をグリル前面部３により密閉し、取手１６２を大きくして、その開口から被調理物Ｆを取り出すようにしたガスグリル付きテーブルこんろであってもよい。この場合には、開閉扉とグリル前面部３との間にあった隙間がなくなり、バーナ２０の燃焼排気をより有効に被調理物Ｆの加熱に使うことができるため、さらに効率良く調理することができる。
【００３３】
また、汚れ防止手段として、従来例に示したシャッターを用いて、その開操作をバーナの点火操作に連動したものであってもよい。要するに、覗き窓を被調理物からの焼き脂等から保護する開閉式の汚れ防止手段の開操作が、バーナへの点火操作に連動して行えるようにしたものであればよい。
【００３４】
【発明の効果】
以上詳述したように、本発明の請求項１記載のガスグリル付きテーブルこんろによれば、バーナの点火操作と連動して汚れ防止手段が開操作され、グリル庫内が覗き窓を通して視認可能となるため、点火操作を行いながら、バーナの着火状態を楽な姿勢で確認でき、しかも、１つの操作で点火と開成とを同時に行えるので使い勝手も良い。確認後は、汚れ防止手段により覗き窓が汚れるのを防ぐことができるため、覗き窓からの視界をいつまでも良好に維持することが可能となる。しかも、覗き窓の過熱を防止できる。
また、調理中にその焼け具合を確認したいときは、開閉操作手段によりいつでもグリル庫内を確認することができるため、より使い勝手がよい器具となる。
【図面の簡単な説明】
【図１】本実施形態のテーブルこんろを側面からみた断面図である。
【図２】本実施形態のグリルを側面からみた断面図である。
【図３】本実施形態のグリルを側面からみた断面図である。
【図４】本実施形態のグリルを正面からみた断面図である。
【図５】本実施形態の点滅器を側面からみた断面図である。
【図６】本実施形態の覗き窓組立を側面からみた断面図である。
【図７】覗き窓組立を正面からみた断面図である。
【図８】窓受けの斜視図である。
【図９】覗き窓組立の一部を上面からみた断面図である。
【図１０】本実施形態の覗き窓組立を外したテーブルこんろの外観図である。
【図１１】テーブルこんろの外観図である。
【図１２】開閉扉を設けない場合の本発明の実施形態としてのグリルを側面から見た断面図である。
【図１３】従来例のグリルを側面からみた断面図である。
【符号の説明】
１…グリル、１０…トッププレート、１２…グリル庫、２０…バーナ、４０…覗き窓、７１ｃ…操作スイッチ、８１…回動扉、８２…リンク棒、８３…Ｔ型アーム、８４…支え板、８５…引っ張りバネ、８６…つまみ、８７…押し片、９０…点滅器、９１…点火レバー、９１ａ…頭部。
【図１】
0004470052.tif 000002
【図２】
0004470052.tif 000003
【図３】
0004470052.tif 000004
【図４】
0004470052.tif 000005
【図５】
0004470052.tif 000006
【図６】
0004470052.tif 000007
【図７】
0004470052.tif 000008
【図８】
0004470052.tif 000009
【図９】
0004470052.tif 000010
【図１０】
0004470052.tif 000011
【図１１】
0004470052.tif 000012
【図１２】
0004470052.tif 000013
【図１３】
0004470052.tif 000014